(57)【要約】【課題】情報を記録するための記録領域の不足量を明示する。【解決手段】記録に先だって、ディスクにおける記録可能な最大の時間長さと、既にデータが記録済みの時間長さとの差分を求める（Ｓ５）。求めた差分の時間長さに対して予約された記録期間長さを、時間軸バーにおいて相対的に一致させるようにスケールを決定する（Ｓ１０）。予約された記録期間長さに対する差分の時間長さの不足分を示す不足量を求める（Ｓ２２）。時間軸バーのイメージを作成し、時間軸バーにおいて、決定されたスケールを用いて、算出された不足量を指示するイメージを作成し、これらイメージを一体的に表示する（Ｓ１２、Ｓ２４）。また、現在の記録位置、タイムシフト再生位置も求められて（Ｓ１６、Ｓ２０）、同一の時間軸バーにおいてイメージ表示される（Ｓ２４）。【選択図】        図２
2004342195.tif 000002
【特許請求の範囲】
【請求項１】
データを格納するためのディスクに映像データまたは音声データの少なくとも一方を記録し、前記ディスクに記録されるデータをタイムシフト再生するディスク記録再生装置であって、
前記記録に先だって、前記ディスクにおける記録可能な最大の時間長さと、既にデータが記録済みの時間長さとの差分を求める差分算出手段と、
前記差分算出手段により求めた前記差分の時間長さに対して予約された記録期間長さを、時間軸バーにおいて相対的に一致させるようにスケールを決定するスケール決定手段と、
前記予約された記録期間長さに対する前記差分の時間長さの不足分を示す不足量を求める不足算出手段と、
グラフィック表示するためのイメージを作成するイメージ作成手段とを備えて、
前記イメージ作成手段は、
前記時間軸バーのイメージを作成するバーイメージ作成手段と、
前記時間軸バーにおいて、前記スケール決定手段により決定された前記スケールを用いて、前記不足算出手段により算出された前記不足量を指示するイメージを作成する不足量イメージ作成手段とを有し、
前記不足量は、前記予約された記録期間において記録開始してから不足が生じ始める時刻を用いて示され、
前記不足量は、予約された記録を開始してから不足が生じ始める時刻と前記予約された記録期間の終了時刻との差分量により示され、
予約されたデータの記録中に、前記予約された記録期間長さにおける現在の記録位置を決定する記録位置決定手段をさらに備えて、
前記イメージ作成手段は、
前記記録位置決定手段により決定された前記現在の記録位置を、前記時間軸バーにおいて指示するイメージを作成する記録位置イメージ作成手段をさらに有し、
前記予約されたデータの記録中は、定時的に前記不足算出手段により前記不足量が求められて、
情報を表示する表示手段をさらに備えて、
前記イメージ作成手段により作成された前記イメージは、前記表示手段により表示されて、
前記再生部によるタイムシフト再生中に、前記予約記録されたデータのうちにおける現在タイムシフト再生しているデータ部分の位置を決定する再生位置決定手段をさらに備えて、
前記イメージ作成手段は、
前記再生位置決定手段により決定された前記データ部分の位置を前記時間軸バーにおいて指示するイメージを作成する再生位置イメージ作成手段をさらに有する、ディスク記録再生装置。
【請求項２】
データを格納するためのディスクに映像データまたは音声データの少なくとも一方を記録するディスク記録装置であって、
前記記録に先だって、前記ディスクにおける記録可能な最大の時間長さと、既にデータが記録済みの時間長さとの差分を求める差分算出手段と、
前記差分算出手段により求めた前記差分の時間長さに対して予約された記録期間長さを、時間軸バーにおいて相対的に一致させるようにスケールを決定するスケール決定手段と、
前記予約された記録期間長さに対する前記差分の時間長さの不足分を示す不足量を求める不足算出手段と、
グラフィック表示するためのイメージを作成するイメージ作成手段とを備えて、
前記イメージ作成手段は、
前記時間軸バーのイメージを作成するバーイメージ作成手段と、
前記時間軸バーにおいて、前記スケール決定手段により決定された前記スケールを用いて、前記不足算出手段により算出された前記不足量を指示するイメージを作成する不足量イメージ作成手段とを有する、ディスク記録装置。
【請求項３】
前記不足量は、前記予約された記録期間において記録開始してから不足が生じ始める時刻を用いて示されることを特徴とする、請求項２に記載のディスク記録装置。
【請求項４】
前記不足量は、予約された記録を開始してから不足が生じ始める時刻と前記予約された記録期間の終了時刻との差分量により示されることを特徴とする、請求項２または３に記載のディスク記録装置。
【請求項５】
予約されたデータの記録中に、前記予約された記録期間長さにおける現在の記録位置を決定する記録位置決定手段をさらに備えて、
前記イメージ作成手段は、
前記記録位置決定手段により決定された前記現在の記録位置を、前記時間軸バーにおいて指示するイメージを作成する記録位置イメージ作成手段をさらに有する請求項２から４のいずれか１項に記載のディスク記録装置。
【請求項６】
前記予約されたデータの記録中は、定期的に前記不足算出手段により前記不足量が求められることを特徴とする、請求項２から５のいずれか１項に記載のディスク記録装置。
【請求項７】
情報を表示する表示手段をさらに備えて、
前記イメージ作成手段により作成された前記イメージは、前記表示手段によりグラフィック表示されることを特徴とする、請求項２から６のいずれか１項に記載のディスク記録装置。
【請求項８】
前記請求項２から７のいずれか１項に記載のディスク記録装置と、前記ディスクに記録されるデータをタイムシフト再生する再生部とを備えるディスク記録再生装置であって、
前記再生部によるタイムシフト再生中に、前記予約記録されたデータのうちにおける現在タイムシフト再生しているデータ部分の位置を決定する再生位置決定手段をさらに備えて、
前記イメージ作成手段は、
前記再生位置決定手段により決定された前記データ部分の位置を前記時間軸バーにおいて指示するイメージを作成する再生位置イメージ作成手段をさらに有する、ディスク記録再生装置。
【発明の詳細な説明】
【０００１】
【発明の属する技術分野】
この発明はディスクに対して音声データまたは映像データを記録するディスク記録装置およびこれらデータを読出して再生するディスク記録再生装置に関し、特に、動作状態の把握を容易にする情報表示を提供できるディスク記録装置およびディスク記録再生装置に関する。
【０００２】
【従来の技術】
従来、ビデオデッキやＤＶＤ（ｄｉｇｉｔａｌ  ｖｅｒｓａｔｉｌｅ  ｄｉｓｃ）−ＲＡＭ（ｒａｎｄｏｍ  ａｃｃｅｓｓ  ｍｅｍｏｒｙ）などの映像や音声を記録・再生できる装置において、番組の放送予定時間の長さまたは録画もしくは再生の映像全体の長さをステータスバーを用いて表わし、記録媒体上での再生位置または録画位置を視覚的に表現する動作記号をステータスバー上に表示することにより、動作状態の把握を容易にする機能が提供されていた（たとえば、特許文献１参照）。
【０００３】
また、予約録画終了後のテープ残量時間の数値での表示をするとともに、その残量時間と予約録画トータル時間との差を、その値に応じて表示パネルの背景色を変化させることで報知するものが提供されていた（たとえば、特許文献２参照）。
【０００４】
【特許文献１】
特開２００１−１０３４０７号公報
【０００５】
【特許文献２】
特開平６−１１１４１５号公報
【０００６】
【発明が解決しようとする課題】
しかしながら、上述した従来の装置では、再生や録画などの動作期間の全体に対する現在位置を視覚的に表示したり、予約録画実行後のテープ残量を表示したりすることは可能であったけれども、録画に際して記録領域に関して必要量に対してどの程度の量が不足しているかの情報を報知していないので、ユーザは不足量を認識することができず、記録領域不足による正常な録画が妨げられていた。
【０００７】
それゆえに、この発明の目的は、情報を記録するための記録領域の不足量を明示することのできるディスク記録装置およびディスク記録再生装置を提供することである。
【０００８】
【課題を解決するための手段】
この発明のある局面に従うディスク記録装置は、データを格納するためのディスクに映像データまたは音声データの少なくとも一方を記録する装置であって、記録に先だって、ディスクにおける記録可能な最大の時間長さと、既にデータが記録済みの時間長さとの差分を求める差分算出手段と、差分算出手段により求めた差分の時間長さに対して予約された記録期間長さを、時間軸バーにおいて相対的に一致させるようにスケールを決定するスケール決定手段と、予約された記録期間長さに対する差分の時間長さの不足分を示す不足量を求める不足算出手段と、グラフィック表示するためのイメージを作成するイメージ作成手段とを備えて、イメージ作成手段は、時間軸バーのイメージを作成するバーイメージ作成手段と、時間軸バーにおいて、スケール決定手段により決定されたスケールを用いて、不足算出手段により算出された不足量を指示するイメージを作成する不足量イメージ作成手段とを有する。
【０００９】
したがって、ディスクにデータを記録するとき、ディスクにおける記録可能な最大の時間長さと既にデータが記録済みの時間長さとの差分の、予約された記録期間長さに対する不足量は、差分の時間長さに対して予約された記録期間長さを相対的に一致させるようなスケールを有する時間軸バーにおいて指示されるようにイメージが作成されてグラフィック表示される。
【００１０】
それゆえに、ユーザは視覚的にディスクにおける記録時間残量、すなわち記録領域の不足を知ることができる。また、不足分は時間軸バーにおいて相対的に示すことができて、ユーザは記録時間残量の、すなわち記録領域の不足分を感覚的に知ることができる。
【００１１】
好ましくは、不足量は、予約された記録期間において記録開始してから不足が生じ始める時刻を用いて示される。
【００１２】
したがって、ユーザはディスクにおける記録時間残量の不足を、記録開始してから不足が生じ始める時刻を用いて知ることができる。
【００１３】
好ましくは、不足量は、予約された記録を開始してから不足が生じ始める時刻と予約された記録期間の終了時刻との差分量により示される。
【００１４】
したがって、ユーザはディスクにおける記録時間残量の不足を、不足が生じ始める時刻と予約された記録期間の終了時刻との差分量を用いて定量的に知ることができる。
【００１５】
好ましくは、予約されたデータの記録中に、予約された記録期間長さにおける現在の記録位置を決定する記録位置決定手段をさらに備えて、イメージ作成手段は、記録位置決定手段により決定された現在の記録位置を、時間軸バーにおいて指示するイメージを作成する記録位置イメージ作成手段をさらに有する。
【００１６】
したがって、同一の時間軸バーにおいて上述した不足量とともに、現在の記録位置を、ユーザに対して知らせることができる。それゆえに、ユーザは、データ記録中に、不足が生じ始めるタイミングまで、あとどれくらいの猶予があるかを視覚的に認識できる。
【００１７】
好ましくは、予約されたデータの記録中は、定時的に不足算出手段により不足量が求められる。
【００１８】
したがって、定期的に不足算出量が求められるから、データ記録のバックグランド処理としてデータ削除がなされた場合であっても、削除により生じた記録可能分を用いて最新の不足量を算出できる。それゆえに、ユーザは、常時、正確な不足量を確認できる。
【００１９】
好ましくは、情報をグラフィック表示する表示手段をさらに備えて、イメージ作成手段により作成されたイメージは、表示手段により表示される。
【００２０】
この発明の他の局面に従うディスク記録再生装置は、上述のディスク記録装置と、ディスク記録装置によりディスクに記録されるデータをタイムシフト再生する再生部と、再生部によるタイムシフト再生中に、予約記録されたデータのうちにおける現在タイムシフト再生しているデータ部分の位置を決定する再生位置決定手段とを備えて、イメージ作成手段は、再生位置決定手段により決定されたデータ部分の位置を時間軸バーにおいて指示するイメージを作成する再生位置イメージ作成手段をさらに有する。
【００２１】
したがって、ディスクにデータが記録されるとき、再生部により記録中のデータの部分がタイムシフト再生されるときは、現在タイムシフト再生されるデータ部分は予約記録されたデータにおいて指示されるように、時間軸バーにおいてイメージ表示される。
【００２２】
したがって、現在タイムシフト再生されている部分データの位置を時間軸バーにおいて表示イメージで確認できる。
【００２３】
この発明のさらに他の局面に従うと、データを格納するための予め準備されたディスクに映像データまたは音声データの少なくとも一方を記録するディスク記録方法は、記録に先だって、ディスクにおける記録可能な最大の時間長さと、既にデータが記録済みの時間長さとの差分を求める差分算出ステップと、差分算出ステップにより求めた差分の時間長さに対して予約された記録期間長さを、時間軸バーにおいて相対的に一致させるようにスケールを決定するスケール決定ステップと、予約された記録期間長さに対する差分の時間長さの不足分を示す不足量を求める不足算出ステップと、グラフィック表示するためのイメージを作成するイメージ作成ステップとを備えて、イメージ作成ステップは、時間軸バーのイメージを作成するバーイメージ作成ステップと、時間軸バーにおいて、スケール決定ステップにより決定されたスケールを用いて、不足算出ステップにより算出された不足量を指示するイメージを作成する不足量イメージ作成ステップとを有する。
【００２４】
この発明のさらに他の局面に従うと、ディスク記録再生方法はディスク記録方法の各ステップと、ディスク記録方法によりディスクに記録されるデータをタイムシフト再生する再ステップとを備える。再生ステップによるタイムシフト再生中に、予約記録されたデータのうちにおける現在タイムシフト再生しているデータ部分の位置を決定する再生位置決定ステップをさらに備えて、イメージ作成ステップは、再生位置決定ステップにより決定されたデータ部分の位置を時間軸バーにおいて指示するイメージを作成する再生位置イメージ作成ステップをさらに有する。
【００２５】
【発明の実施の形態】
以下、この発明の実施の形態について図面を参照して説明する。ここでは記録媒体としてディスク上のランダムにアクセス可能なディスク記録媒体を例示し、ここに映像情報を記録すると想定しているが、記録される情報は映像情報のみでなく音声情報であってもよい。
【００２６】
図１は、この発明の実施の形態に適用されるディスク記録再生装置の構成図である。図１においてディスク記録再生装置１００はアンテナ１とＴＶ（ｔｅｌｅｖｉｓｉｏｎ）受像機２００とを外部に接続して、内部にはチューナ２、操作部３、ＭＰＥＧ（ｍｏｔｉｏｎ  ｐｉｃｔｕｒｅ  ｅｘｐｅｒｔｓ  ｇｒｏｕｐ）などのためのエンコーダ４、ＨＤ（ハードディスク装置）５、ＭＰＥＧなどのためのデコーダ６、表示回路７、ＭＰＵ（ｍｉｃｒｏ  ｐｒｏｃｅｓｓｉｎｇ  ｕｎｉｔ）８、グラフィック表示回路９およびメモリ１０を備える。
【００２７】
次にディスク記録再生装置１００の動作について説明する。初めにＴＶ放送を視聴する際の動作について説明する。まず放送局から送られたＴＶ信号をアンテナ１が受信する。このＴＶ信号をチューナ回路２によって選局して視聴対象となるチャンネルのＴＶ信号（映像信号または音声信号の少なくとも１つ）を抽出する。抽出されたＴＶ信号は表示回路７によってＴＶ受像機２００に出力されユーザは映像・音声を視聴できる。
【００２８】
ユーザが操作部３を操作してチャネル変更操作を行なった場合は、この変更の信号はＭＰＵ８に伝達される。ＭＰＵ８はチューナ２に対して選局対象の変更を要求すると同時にグラフィック出力回路９を用いてチャネル番号表示イメージを表示回路７に出力する。メモリ１０は、ＭＰＵ８が処理を実行するときの一時記憶装置として用いられる。表示回路７はチューナ２で新たに選局したＴＶ信号の映像信号にグラフィック出力回路９から受けた表示イメージを重畳してＴＶ受像機２００に出力する。
【００２９】
次に、映像を録画する際の動作について説明する。放送局から送られたＴＶ信号をアンテナ１が受信する。このＴＶ信号はチューナ回路２によって選局されて録画対象となるチャンネルの映像信号が抽出される。抽出された映像信号はエンコーダ４によってデジタル信号に変換されてＨＤ５に記録される。
【００３０】
記録した映像信号をＨＤ５から再生する際の動作について説明する。ＨＤ５から読出したデジタル信号はデコーダ６によって映像信号に復号されて、表示回路７を介してＴＶ受像機２００に画面表示される。
【００３１】
なお、本実施の形態によるディスク記録再生装置１００においてＨＤ５に録画をしている場合、いわゆる追っかけ再生モード（タイムシフト再生モード）がＯＮされると、記録済みの任意の部分を指定することによって指定した部分から録画済みの映像信号について再生動作がなされる。この再生動作がなされているとき、映像信号の読出と放送信号を受信した映像信号の記録とが並行して行なわれることになる。
【００３２】
次に、図２のフローチャートに従い映像の録画再生状態の表示方法について説明する。
【００３３】
まず、ディスク記録再生装置１００の電源が入っており録画・再生動作が可能な状態にあったと想定する。その場合に、録画予約がなされると図２の処理ルーチンが起動する。
【００３４】
まず録画の予約内容（記録モード：標準、３倍モードの別）に基づいて、ＨＤ５の最大の録画可能時間長さと、ＨＤ５のディスクにおいて、既に映像が記録されている時間長さ（録画済時間長さ）との差を求める（ステップＳ（以下、単にＳと略す）５）。
【００３５】
次に求めた差分の時間長さに対して予約された内容（録画時間長さ）を時間軸上において相対的に一致させるようにスケールを決定する（Ｓ１０）。
【００３６】
そして、図３（Ａ）のようにバーの表示イメージを、グラフィック表示回路９にて作成して表示回路７を介してＴＶ受像機２００にグラフィック表示する（Ｓ１２）。
【００３７】
このとき、図３（Ａ）で示すバーの一方端のポイントＰ１は録画の開始時刻（時：分）を示し、他方端のポイントＰ２は録画終了時刻（時：分）を示す。たとえば、処理Ｓ５で求めた差分が２時間であり、予約された録画時間が（ポイントＰ１とＰ２とが示す時刻の差分）が１時間であった場合には、差分：録画時間＝１：２の関係となるので、ステップＳ１０では、その比率関係に基づき図３（Ａ）のバーについてのスケールが決定される。
【００３８】
次に、ＭＰＵ８は予約された録画内容に従い録画中であるか否かを判定する（Ｓ１４）。録画中であると判定すると（Ｓ１４でＹＥＳ）、そのときの録画位置、すなわちポイントＰ１の録画開始時刻からの録画経過時間に相当する図３（Ａ）のバー上の位置を、前述のスケールに基づいて計算して決定する（Ｓ１６）。このとき、計算された位置に基づいてその位置に対応の時刻（時：分）も求められる。その後、後述のＳ１８の処理に移動する。
【００３９】
録画中でない場合には（Ｓ１４でＮＯ）、録画済みの映像情報の再生動作中、すなわち前述した追っかけ再生の動作中であるか判定する（Ｓ１８）。再生動作中と判定されると（Ｓ１８でＹＥＳ）、そのときの再生位置を図３（Ａ）のバー上の位置として前述のスケールに基づいて計算して決定する（Ｓ２０）。このとき、その位置に対応する時刻も前述のスケールに基づいて算出される。
【００４０】
再生中でなければ（Ｓ１８でＮＯ）、予約録画モードに従う録画に必要とされる領域に対する現在の録画可能領域の不足量を求めて、その不足量に対応するポイントＰ２からの相対的な位置（すなわち不足位置）を計算する（Ｓ２２）。
【００４１】
その後、上述のようにして計算された録画位置、再生位置および不足位置を図３（Ａ）のバー上で示すための表示イメージ（位置を指示するイメージおよび対応の時刻を表すイメージ）をグラフィック表示回路９で作成して、作成された表示イメージを表示回路７を介してＴＶ受像機２００にグラフィック表示する（Ｓ２４）。したがって、この表示イメージはＴＶ受像機２００に表示されている画像に重畳されて、画面の端部分などに表示される。なお、画面における表示位置はこれに限定されるものではない。
【００４２】
これにより録画中のみである場合には（追っかけ再生中でなく、不足量もない場合）で図３（Ｂ）のようなグラフィック表示がなされる。ここでは、バー上の計算された録画位置がポイントＰ３にて指示されるとともに、バーにおいてポイントＰ１の録画開始位置からポイントＰ３の現在録画位置までの部分がカラー表示などされて明示される。また、ポイントＰ３に対応して計算された対応の現在の録画時刻（時：分）も表示される。
【００４３】
また、追っかけ再生中においては、図３（Ｃ）に示すようにポイントＰ３とともにポイントＰ４が示される。ポイントＰ４は追っかけ再生により読出されているデータが記録された時刻をバー上において示すものであって、対応する再生の時刻（時：分）も示されている。
【００４４】
また、計算結果、録画領域について不足量があれば、不足位置が図３（Ｄ）のようにポイントＰ５にて示される。ポイントＰ５は予約される録画時間のうちステップＳ５で求めた差分の時間では録画できない時間分を、ポイントＰ２を基準にした変位で示している。ポイントＰ５には、録画不可能となる時刻（時：分）も示されている。またバーにおいてポイントＰ５〜ポイントＰ２間の部分はカラー表示されるので、不足分があることを、すなわち予約の録画時間に対する録画可能の領域の不足量を視覚的に報知することができる。
【００４５】
また、ポイントＰ５において示されている時刻（時：分）を確認することにより、ユーザはより具体的に不足時間、領域不足の為に録画不可能となる時刻を知ることができる。
【００４６】
また、時間値ＷＴも示されてよい。時間値ＷＴはポイントＰ２とポイントＰ５との時刻の差分を値にして示すものであって、ユーザは時間値ＷＴを確認することにより、具体的に録画不可能な時間長さを知ることができる。
【００４７】
その後、ステップＳ１４の処理に戻り、以降の手順を同様に繰返す。ここでは、このような繰返しによりステップＳ２２の処理を毎回実行するようにしている。これは、ＨＤ５の場合には、録画処理しながら、バックグラウンド処理としてＨＤ５について記録済みのデータの削除処理などを行なうことができるので、ポイントＰ５で示される不足位置は、この削除処理により流動的に変動するからである。なお、このような録画処理に並行した記録済みデータの削除が行なわれない場合には、ステップＳ２２の処理は最初の１回だけ実行されるだけでよい。
【００４８】
なお、図３（Ａ）〜図３（Ｄ）のイメージは無条件に画面表示されるとしているが、表示するか否かはユーザが操作部３を所定操作することにより切替設定してもよい。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
【発明の効果】
発明によれば、ユーザは視覚的にディスクにおける記録時間残量、すなわち記録領域の不足を知ることができる。また、不足分は時間軸バーにおいて相対的に示すことができて、ユーザは記録時間残量の、すなわち記録領域の不足分を感覚的に知ることができる。
【図面の簡単な説明】
【図１】この発明の実施の形態に係るディスク記録再生装置の構成図である。
【図２】映像録画再生状態を表示するための処理手順を示すフローチャートである。
【図３】（Ａ）〜（Ｄ）は図２の処理手順に従って表示される内容例を示す図である。
【符号の説明】
１００  ディスク記録再生装置、２００  ＴＶ受像機、１  アンテナ、２  チューナ、３  操作部、４  エンコーダ、５  ＨＤ、６  デコーダ、７  表示回路、８  ＭＰＵ、９  グラフィック表示回路、１０  メモリ、Ｐ１〜Ｐ５  ポイント、ＷＴ  時間の値。
【図１】
2004342195.tif 000003
【図２】
2004342195.tif 000004
【図３】
2004342195.tif 000005